(57)【要約】  【課題】  一般的な建物におけるシーリング工法を活用し、長期に渡って効果的な、外壁面に対する水切り板からの雨垂れ防止構造を提供すること。  【解決手段】  建物の開口Ｏ付近に取り付けられ外壁面Ｗに隣接している水切り板１からの雨垂れ防止構造であって、この水切り板の表面の両端には、オーバーブリッジシーリングによりこの水切り板の表面からこの外壁面を伝って雨水Ｒが流れ落ちるのを遮る防壁部２，２が設けられてもよい。  【選択図】図１
0003215686.tif 000002
【実用新案登録請求の範囲】
【請求項１】
建物の開口付近に取り付けられ外壁面に隣接している水切り板からの雨垂れ防止構造であって、
前記水切り板の表面の両端には、オーバーブリッジシーリングにより当該水切り板の表面から前記外壁面を伝って雨水が流れ落ちるのを遮る防壁部が設けられている
ことを特徴とする水切り板からの雨垂れ防止構造。
【請求項２】
前記水切り板が、前記開口に取り付けられたサッシ枠の下端から前記外壁面より外側に延出するように設けられ、
前記防壁部が、前記水切り板のうち前記外壁面より外側に延出している部分の表面の両側から上側に突出している
ことを特徴とする請求項１に記載の水切り板からの雨垂れ防止構造。
【考案の詳細な説明】
【技術分野】
【０００１】
本考案は、例えば、サッシ枠周辺に取り付けられる水切り板からの雨垂れ防止構造に関し、詳細には、水切り板から漏れた雨水が建物の外壁面を伝って流れ落ちるのを防止する構造に関する。
【背景技術】
【０００２】
従来から、建物（例えば、集合住宅、戸建住宅、公共又は商業施設）の外壁面を伝って雨水が流れ落ちる“雨垂れ”が発生すると、雨水の通り道が黒ずんでしまったりカビが発生したりしまっていた（図２参照）。特に、窓や柵が設けられる建物の開口から外壁面を伝って雨垂れが発生しやすく、これを防ぐために雨水を誘導する水切り板が活用されていた。
【０００３】
例えば、水切り板の両端部に設けられた所定の高さの立上げ部により、建物の壁面に雨垂れによる雨筋汚れを防止する発想が提案されている（例えば、特許文献１参照。）。この提案では、立上げ部の材質として、アルミニウム・ステンレス・防錆加工されたスチールのような金属・プラスチック材料、立上げ部の取り付け方法として、両面粘着テープの使用が例示されている（段落「００２５」参照。）。さらに、立上げ部からの水漏れ防止処理として、溶接・はんだ付け・接着剤が例示されている（段落「００１１」参照。）。
【先行技術文献】
【特許文献】
【０００４】
【特許文献１】特開２００３−３２８５１３号公報
【考案の概要】
【考案が解決しようとする課題】
【０００５】
しかしながら、上述した従来技術の発想では、建物の主たる施工とは無関係な部材を調達・加工しなければならないばかりでなく、作業工程を別途設定しなければならず、材料コストが嵩み、かつ作業工数が余計に発生してしまう。さらに、上記立上げ部の部材では、錆・亀裂・その他破損が生じやすいばかりでなく、上記立上げ部の取り付けや水漏れ防止処理では、長期間外気（雨風含む）にさらされる劣悪な環境には耐え難い。
【０００６】
そのため、本考案の考案者等は、一般的な建築における作業工程として、例えば、建物に備わる窓のサッシ枠等のシーリング工事に着目し、このシーリング工事に用いられる部材や作業手順を活かして水切り板からの雨垂れを防止する着想にたどり着いた。
【０００７】
そこで、本考案の目的は、一般的な建築物におけるシーリング工法を活用し、長期に渡って効果的な、外壁面に対する水切り板からの雨垂れ防止構造を提供することにある。
【課題を解決するための手段】
【０００８】
上記課題を解決するために、本考案による水切り板からの雨垂れ防止構造は、
建物の開口付近に取り付けられ外壁面に隣接している水切り板からの雨垂れ防止構造であって、上記水切り板の表面の両端に、オーバーブリッジシーリングにより上記水切り板の表面から上記外壁面を伝って雨水が流れ落ちるのを遮る防壁部が設けられていることを特徴とする。
【０００９】
また、上記水切り板が、上記開口に取り付けられたサッシ枠の下端から上記外壁面より外側に延出するように設けられ、上記防壁部が、上記水切り板のうち上記外壁面より外側に延出している部分の表面の両側から上側に突出しているこのが望ましい。
【考案の効果】
【００１０】
本考案における水切り板からの雨垂れ防止構造は、上記水切り板の表面の両端に、オーバーブリッジシーリングにより上記水切り板の表面から上記外壁面を伝って雨水が流れ落ちるのを遮る防壁部が設けられていることにより、サッシ枠等に施される通常のシーリング工事のタイミングと併せて容易且つ安価に形成することができる。したがって、別の部材の購入や取り付けをしなくても、長期的に所望の雨垂れ防止効果を発揮することができ、建物の外壁面の好適な美感を維持することができる。
【００１１】
また、上記水切り板が、上記開口に取り付けられたサッシ枠の下端から上記外壁面より外側に延出するように設けられ、上記防壁部が、上記水切り板のうち上記外壁面より外側に延出している部分の表面の両側から上側に突出していることにより、上記開口の内側面や上記サッシ枠から上記水切り板の表面に流れ落ちた雨水を、上記水切り板の先端付近から流れ落ちるように誘導することができる。
【図面の簡単な説明】
【００１２】
【図１】水切り板からの雨垂れ防止構造の一例を示す概要図である。
【図２】従来の水切り板からの雨垂れ状況の一例を示す概要図である。
【考案を実施するための形態】
【００１３】
まず、図１を参照しつつ、本考案の一実施形態におけるサッシ枠周辺に取り付けられた水切り板からの雨垂れ防止構造の概要を説明する。
【００１４】
本考案の一実施形態における水切り板からの雨垂れ防止構造は、建物の開口Ｏ付近に取り付けられ外壁面Ｗに隣接している水切り板１からの雨垂れ防止構造であって、この水切り板の表面の両端には、オーバーブリッジシーリングによりこの水切り板の表面からこの外壁面を伝って雨水Ｒが流れ落ちるのを遮る防壁部２，２が設けられてもよい。
【００１５】
また、水切り板１が、開口Ｏに取り付けられたサッシ枠Ｓの下端から外壁面Ｗより外側に延出するように設けられ、防壁部２，２が、水切り板１のうち外壁面Ｗより外側に延出している部分の表面の両側から上側に突出していてもよい。
【００１６】
次に、図１を参照しつつ、本考案の一実施形態における水切り板からの雨垂れ防止構造の詳細（各部材等）について説明する。
【００１７】
建物の開口Ｏは、例えば、窓や柵の取り付け用として建物の外壁面に設けられた開口でもよく、用途又は形状・寸法に限定はない。サッシ枠Ｓは、例えば、開口Ｏに取り付けられるアルミ製の窓枠でもよく、限定はない。サッシ枠Ｓの取り付け位置は、開口内側面Ｏ１のうち、外側でも内側でもよい。
【００１８】
水切り板１は、例えば、サッシ枠Ｓと同素材（アルミ製等）の板状部材で、表面が平坦な形状でもよい。水切り板１の取り付け位置は、開口Ｏの内側に立設する壁面又は外壁面Ｗかつサッシ枠の下端からこの外壁面より外側に延出するように設けられていてもよい。
なお、水切り板１の素材、用途、及び形状・寸法に限定はなく、下向きに傾斜していてもよい。
【００１９】
防壁部２は、開口内側面Ｏ１やサッシ枠Ｓから水切り板１の表面に流れ落ちる雨水が、この水切り板の表面から漏れて外壁面Ｗに伝って流れ落ちるのを防ぐものであってもよい。すなわち、防壁部２は、水切り板１のうち外壁面Ｗより外側に延出している部分の表面の両側から上側に突出していてもよい。防壁部２の取り付け範囲は、サッシ枠Ｓの末端又は水切り板１のうち外壁面Ｗより外側に突出しはじめる箇所から雨水Ｒが外壁面Ｗに伝って流れ落ちない箇所まででもよく、限定はない。防壁部２の施工手順は、オーバーブリッジシーリングによるものでもよい。防壁部２の素材は、建物の開口内側面Ｏ１や外壁面Ｗに対してサッシ枠Ｓや水切り板１に施されるシーリング材（例えば、ポリウレタン系）と同素材でもよく、低モジュラス・耐候性・耐久性・動的追従性に優れた変成シリコーン系でもよい。防壁部２の形状は、切断面が矩形状でも半円状のものでもよく、水切り板１の表面に向かって傾斜していてもよい。防壁部２の寸法は、例えば、水切り板１の表面から高さ３〜７ｍｍ、幅８〜１２ｍｍであってもよく、好ましくは高さ４〜６ｍｍ、幅９〜１１ｍｍで、より好ましくは高さ５ｍｍ、幅１０ｍｍであり、水切り板の大きさ等により適宜変更してもよい。
【００２０】
次に、図１を参照しつつ、オーバーブリッジシーリングによる防壁部２の施工手順について説明する。
【００２１】
まず、外壁面Ｗ、開口内側面Ｏ１、及び水切り板１の表面に養生テープを貼り付け、所望の位置に所望の形状・寸法の防壁部を新設するためにバックアップ材を貼り付ける。次に、バックアップ材で囲まれた箇所（防壁部を新設する箇所）に対してプライマーを塗布する。そして、所定の素材を配合したシーリング材をバックアップ材で囲まれた箇所に充填し、ヘラ仕上げを行う。充填したシーリング材の硬化後、バックアップ材を除去し、所望の防壁部２，２の新設が完了する。
【００２２】
このように、本考案の一実施形態における水切り板からの雨垂れ防止構造は、建物の開口Ｏ付近に取り付けられ外壁面Ｗに隣接している水切り板１からの雨垂れ防止構造であって、この水切り板の表面の両端に、オーバーブリッジシーリングによりこの水切り板の表面からこの外壁面を伝って雨水Ｒが流れ落ちるのを遮る防壁部２，２が設けられていることにより、サッシ枠Ｓ等に施される通常のシーリング工事のタイミングと併せて容易且つ安価に形成することができる。したがって、別の部材の購入や取り付けをしなくても、長期的に所望の雨垂れ防止効果を発揮することができ、建物の外壁面の好適な美感を維持することができる。
【００２３】
また、水切り板１が、開口Ｏに取り付けられたサッシ枠Ｓの下端から外壁面Ｗより外側に延出するように設けられ、防壁部２，２が、この水切り板のうちこの外壁面より外側に延出している部分の表面の両側から上側に突出していることにより、開口内側面Ｏ１やサッシ枠Ｓからこの水切り板の表面に流れ落ちる雨水Ｒを、この水切り板の先端付近から流れ落ちるように誘導することができる。
【産業上の利用可能性】
【００２４】
本考案における水切り板からの雨垂れ防止構造は、建物のみならず、工業用の機械や装置に関する産業に広く利用可能である。
【符号の説明】
【００２５】
１      水切り板
２      防壁部
【図１】
0003215686.tif 000003
【図２】
0003215686.tif 000004